(57)【要約】【課題】携帯機器ならびにその光学撮像レンズを提供すること。【解決手段】光学撮像レンズは、物体側から像側へ順に配置される５つのレンズ素子を備える。それらのレンズ素子の、凸状もしくは凹状の表面形状、屈折力、および／またはパラメータ間の式を制御することによって、光学撮像レンズは、より優れた光学特性を示し、光学撮像レンズの全長は短縮される。【選択図】図１
2014130333.tif 000002
【特許請求の範囲】
【請求項１】
光学撮像レンズであって、
開口絞りと、各々が物体側に向いた物体側の面と像側に向いた像側の面とを有する、第１のレンズ素子と、第２のレンズ素子と、第３のレンズ素子と、第４のレンズ素子と、第５のレンズ素子と、を光軸に沿って当該順序で物体側から像側へ亘って備え、当該光学撮像レンズに対し全体として屈折力を有せしめるレンズ素子が前記第１乃至第５のレンズ素子のみからなり、
前記第１のレンズ素子は、正の屈折力を有するとともに、前記光軸近傍に凸部をなす前記像側の面を有し、
前記第３のレンズ素子は、当該第３のレンズ素子の周縁部近傍に凹部をなす前記物体側の面を有し、
前記第４のレンズ素子は、正の屈折力を有するとともに、凹面をなす前記物体側の面を有し、
前記第５のレンズ素子は、プラスチック材料で構成されているとともに、前記光軸近傍に凹部をなす前記像側の面を有し、
前記光軸に沿った前記第５のレンズ素子の中心厚を示すＣＴ５と、前記光軸に沿った前記第４のレンズ素子および前記第５のレンズ素子の間の空隙を示すＡＣ４５とは、不等式
2014130333.tif 000041
を満たすことを特徴とする光学撮像レンズ。
【請求項２】
前記光軸に沿った前記第３のレンズ素子と前記第４のレンズ素子との間の空隙を示すＡＣ３４と、ＣＴ５とは、不等式
2014130333.tif 000042
を満たすことを特徴とする請求項１に記載の光学撮像レンズ。
【請求項３】
前記光軸に沿った前記第２のレンズ素子の中心厚を示すＣＴ２と、ＣＴ５とは、不等式
2014130333.tif 000043
を満たすことを特徴とする請求項２に記載の光学撮像レンズ。
【請求項４】
前記光軸に沿った前記第１のレンズ素子と前記第２のレンズ素子との間の空隙を示すＡＣ１２と、ＣＴ５とは、不等式
2014130333.tif 000044
を満たすことを特徴とする請求項３に記載の光学撮像レンズ。
【請求項５】
前記光軸に沿った前記第１のレンズ素子から前記第５のレンズ素子までの４つの空隙のすべての和を示すＡＡＧと、ＣＴ５とは、不等式
2014130333.tif 000045
を満たすことを特徴とする請求項１に記載の光学撮像レンズ。
【請求項６】
前記光軸に沿った前記第４のレンズ素子の中心厚を示すＣＴ４と、前記光軸に沿った前記第３のレンズ素子および前記第４のレンズ素子の間の空隙を示すＡＣ３４とは、不等式
2014130333.tif 000046
をさらに満たすことを特徴とする請求項５に記載の光学撮像レンズ。
【請求項７】
前記光軸に沿った前記第３のレンズ素子の中心厚を示すＣＴ３と、ＣＴ５とは、不等式
2014130333.tif 000047
を満たすことを特徴とする請求項５に記載の光学撮像レンズ。
【請求項８】
前記光軸に沿った前記第４のレンズ素子の中心厚を示すＣＴ４と、前記光軸に沿った前記第１のレンズ素子から前記第５のレンズ素子までの４つの空隙のすべての和を示すＡＡＧとは、不等式
2014130333.tif 000048
を満たすことを特徴とする請求項１に記載の光学撮像レンズ。
【請求項９】
前記第２のレンズ素子は、さらに、前記光軸近傍に凸部をなす前記物体側の面を有することを特徴とする請求項８に記載の光学撮像レンズ。
【請求項１０】
前記光軸に沿った前記第１のレンズ素子および前記第２のレンズ素子の間の空隙を示すＡＣ１２と、ＡＣ４５とは、不等式
2014130333.tif 000049
を満たすことを特徴とする請求項９に記載の光学撮像レンズ。
【発明の詳細な説明】
【技術分野】
【０００１】
本発明は、携帯機器ならびにその光学撮像レンズに関し、特に、５つのレンズ素子を有する光学撮像レンズを適用した携帯機器ならびにその光学撮像レンズに関するものである。
【背景技術】
【０００２】
携帯電話機、デジタルカメラなど、より小型の携帯機器に対する需要がますます高まることによって、それに応じて、その中に収容される光学撮像レンズ、モジュール収容ユニット、撮像センサなどの要素を備えた小型化された撮影モジュールの必要性が高まっている。
小型化は、携帯機器の様々な側面からもたらされる場合があり、それには、電荷結合素子（ＣＣＤ：Ｃｈａｒｇｅ  Ｃｏｕｐｌｅｄ  Ｄｅｖｉｃｅ）および相補型金属酸化膜半導体（ＣＭＯＳ：Ｃｏｍｐｌｅｍｅｎｔａｒｙ  Ｍｅｔａｌ‐Ｏｘｉｄｅ  Ｓｅｍｉｃｏｎｄｕｃｔｏｒ）だけではなく、その内部に装着される光学撮像レンズが含まれる。ところが、光学撮像レンズを小型化する場合には、良好な光学特性を得ることが困難な問題となる。
【０００３】
特許文献１は、５つのレンズ素子で構成された光学撮像レンズについて開示したものである。その第１の実施形態の光学撮像レンズにおける第１のレンズ素子の物体側の面から像面までの距離は、１０．２ｍｍである。
【０００４】
特許文献２は、５つのレンズ素子で構成された光学撮像レンズについて開示したものである。その光学撮像レンズにおける第１のレンズ素子の物体側の面から像面までの距離は、５．２０４ｍｍである。
【０００５】
特許文献３は、５つのレンズ素子で構成された光学撮像レンズについて開示したものである。その第１の実施形態の光学撮像レンズにおける第１のレンズ素子の物体側の面から像面までの距離は、９．６５２７ｍｍである。
【先行技術文献】
【特許文献】
【０００６】
【特許文献１】台湾実用新案第Ｍ３３６９４５９号
【特許文献２】台湾特許出願公開第２０１２／２４５７１号
【特許文献３】米国特許出願公開第２０１０／０２５３８２９号
【発明の概要】
【発明が解決しようとする課題】
【０００７】
上記特許文献で提示される光学撮像レンズの長さは、携帯電話機など、最近の携帯機器用としては大き過ぎる。よって、良好な光学特性も有しつつ、長さが短縮された光学撮像レンズを開発することが必要とされている。
【課題を解決するための手段】
【０００８】
本発明の目的は、携帯機器ならびにその光学撮像レンズを提供することである。レンズ素子の凸状もしくは凹状の表面形状、屈折力、および／またはパラメータ間の式を制御することによって、光学撮像レンズの長さが短縮されると同時に、良好な光学特性および系の機能性が維持される。
【０００９】
例示的な実施形態において、光学撮像レンズは、光軸に沿って物体側から像側へ順に、開口絞りと、第１、第２、第３、第４、第５のレンズ素子とを備え、これら第１、第２、第３、第４、第５のレンズ素子の各々は、物体側に向いた物体側の面と、像側に向いた像側の面とを有する。
該光学撮像レンズでは、第１のレンズ素子は、正の屈折力を有し、その像側の面は光軸近傍に凸部を有し、第３のレンズ素子の物体側の面は該第３のレンズ素子の周縁部近傍に凹部を有し、第４のレンズ素子は、正の屈折力を有し、その物体側の面は凹面であり、第５のレンズ素子は、プラスチック材料で構成されており、その像側の面は光軸近傍に凹部を有し、また、該光学撮像レンズは全体として、屈折力を有する該５つのレンズ素子のみを有し、光軸に沿った第５のレンズ素子の中心厚をＣＴ５とし、光軸に沿った第４のレンズ素子と第５のレンズ素子との間の空隙をＡＣ４５として、ＣＴ５とＡＣ４５とは、次の式を満たしている。
2014130333.tif 000003
【００１０】
別の例示的な実施形態では、パラメータ間の比に関するものなど、他の式について考慮することができる。例えば、ＣＴ５と、光軸に沿った第３のレンズ素子と第４のレンズ素子との間の空隙ＡＣ３４とを、次のような式を満たすように制御することができる。
2014130333.tif 000004
【００１１】
ＣＴ５と、光軸に沿った第１のレンズ素子から第５のレンズ素子までのすべての４つの空隙の和ＡＡＧとを、次のような式を満たすように制御することができる。
2014130333.tif 000005
【００１２】
光軸に沿った第４のレンズ素子の中心厚ＣＴ４と、ＣＴ５と、ＡＡＧとを、次のような式を満たすように制御することができる。
2014130333.tif 000006
【００１３】
ＣＴ５と、光軸に沿った第１のレンズ素子と第２のレンズ素子との間の空隙ＡＣ１２とを、次のような式を満たすように制御することができる。
2014130333.tif 000007
【００１４】
光軸に沿った第２のレンズ素子の中心厚ＣＴ２と、ＣＴ５とを、次のような式を満たすように制御することができる。
2014130333.tif 000008
【００１５】
ＣＴ４と、ＣＴ５と、ＡＣ３４とを、次のような式を満たすように制御することができる。
2014130333.tif 000009
【００１６】
ＣＴ２と、ＡＡＧとを、次のような式を満たすように制御することができる。
2014130333.tif 000010
【００１７】
光軸に沿った第３のレンズ素子の中心厚ＣＴ３と、ＣＴ５とを、次のような式を満たすように制御することができる。
2014130333.tif 000011
【００１８】
ＡＣ１２と、ＡＣ４５とを、次のような式を満たすように制御することができる。
2014130333.tif 000012
【００１９】
前述の例示的な実施形態は、限定されるものではなく、本明細書に記載の他の実施形態に選択的に組み込むことができる。
【００２０】
一部の例示的な実施形態では、系の性能および／または解像度の制御を強化するため、レンズ素子の凸面もしくは凹面構造または屈折力についてのさらなる詳細を、１つの特定のレンズ素子に、または広く複数のレンズ素子に、組み込むことができる。
例えば、第５のレンズ素子の像側の面は、さらに該第５のレンズ素子の周縁部近傍に凸部を有することができ、あるいは第２のレンズ素子の物体側の面は、さらに光軸近傍に凸部を有することができる。本明細書で記載する詳細は、いかなる矛盾も生じない限りにおいて、例示的な実施形態に組み込むことができるということに留意すべきである。
【００２１】
別の例示的な実施形態において、ハウジングと、ハウジング内に配置された撮影モジュールと、を備える携帯機器を提供する。撮影モジュールは、前述の例示的な実施形態のいずれかの光学撮像レンズと、レンズ鏡筒と、モジュール収容ユニットと、撮像センサと、を有する。レンズ鏡筒は光学撮像レンズを位置決めするためのものであり、モジュール収容ユニットはレンズ鏡筒を位置決めするためのものであり、撮像センサは光学撮像レンズの像側に配置される。
【００２２】
一部の例示的な実施形態において、モジュール収容ユニットは、オプションとして、台座要素とレンズ支持台座とを有するオートフォーカス・モジュールを備える。
台座要素は、レンズ鏡筒の外側に近接して、レンズ鏡筒を駆動するための軸に沿って配置されて、これにより、レンズ鏡筒およびその中に配置された光学撮像レンズを該軸に沿って動かす。レンズ支持台座は、上記軸に沿って、台座要素の外側の周りに配置される。モジュール収容ユニットは、オプションとして、さらに、レンズ支持台座と撮像センサとの間に配置される撮像センサ台を備え、これはレンズ支持台座に近接している。
【００２３】
レンズ素子（複数の場合もある）の凸状もしくは凹状の表面形状、屈折力、および／またはパラメータ間の式を制御することによって、例示的な実施形態における携帯機器およびその光学撮像レンズは、良好な光学特性を実現するとともに、光学撮像レンズの長さを効果的に短縮している。
【００２４】
例示的な実施形態は、添付の図面を併用して以下の詳細な説明を読むことで、より容易に理解されるであろう。
【図面の簡単な説明】
【００２５】
【図１】本開示に係る５つのレンズ素子を有する光学撮像レンズの第１の実施形態の断面図である。
【図２】本開示に係る光学撮像レンズの第１の実施形態についての縦球面収差および他の種類の光学収差のチャートである。
【図３】本開示の例示的な実施形態の光学撮像レンズのレンズ素子の断面図である。
【図４】本開示に係る光学撮像レンズの第１の実施形態の各レンズ素子についての光学データの表である。
【図５】本開示に係る光学撮像レンズの第１の実施形態についての非球面データの表である。
【図６】本開示に係る５つのレンズ素子を有する光学撮像レンズの第２の実施形態の断面図である。
【図７】本開示に係る光学撮像レンズの第２の実施形態についての縦球面収差および他の種類の光学収差のチャートである。
【図８】本開示の第２の実施形態の光学撮像レンズの各レンズ素子についての光学データの表である。
【図９】本開示に係る光学撮像レンズの第２の実施形態についての非球面データの表である。
【図１０】本開示に係る５つのレンズ素子を有する光学撮像レンズの第３の実施形態の断面図である。
【図１１】本開示に係る光学撮像レンズの第３の実施形態についての縦球面収差および他の種類の光学収差のチャートである。
【図１２】本開示の第３の実施形態の光学撮像レンズの各レンズ素子についての光学データの表である。
【図１３】本開示に係る光学撮像レンズの第３の実施形態についての非球面データの表である。
【図１４】本開示に係る５つのレンズ素子を有する光学撮像レンズの第４の実施形態の断面図である。
【図１５】本開示に係る光学撮像レンズの第４の実施形態についての縦球面収差および他の種類の光学収差のチャートである。
【図１６】本開示の第４の実施形態の光学撮像レンズの各レンズ素子についての光学データの表である。
【図１７】本開示に係る光学撮像レンズの第４の実施形態についての非球面データの表である。
【図１８】本開示に係る５つのレンズ素子を有する光学撮像レンズの第５の実施形態の断面図である。
【図１９】本開示に係る光学撮像レンズの第５の実施形態についての縦球面収差および他の種類の光学収差のチャートである。
【図２０】本開示の第５の実施形態の光学撮像レンズの各レンズ素子についての光学データの表である。
【図２１】本開示に係る光学撮像レンズの第５の実施形態についての非球面データの表である。
【図２２】本開示に係る５つのレンズ素子を有する光学撮像レンズの第６の実施形態の断面図である。
【図２３】本開示に係る光学撮像レンズの第６の実施形態についての縦球面収差および他の種類の光学収差のチャートである。
【図２４】本開示の第６の実施形態の光学撮像レンズの各レンズ素子についての光学データの表である。
【図２５】本開示に係る光学撮像レンズの第６の実施形態についての非球面データ
【図２６】本開示に係る５つのレンズ素子を有する光学撮像レンズの第７の実施形態の断面図である。
【図２７】本開示に係る光学撮像レンズの第７の実施形態についての縦球面収差および他の種類の光学収差のチャートである。
【図２８】本開示の第７の実施形態の光学撮像レンズの各レンズ素子についての光学データの表である。
【図２９】本開示に係る光学撮像レンズの第７の実施形態についての非球面データの表である。
【図３０】７つのすべての例示的な実施形態のＡＡＧ、ＣＴ５／ＡＣ４５、ＣＴ５／ＡＣ３４、ＣＴ５／ＡＡＧ、（ＣＴ４＋ＣＴ５）／ＡＡＧ、ＣＴ５／ＡＣ１２、ＣＴ５／ＣＴ２、（ＣＴ４＋ＣＴ５）／ＡＣ３４、ＡＡＧ／ＣＴ２、ＣＴ５／ＣＴ３、およびＡＣ４５／ＡＣ１２の値についての表である。
【図３１】携帯機器の例示的な実施形態の構造である。
【図３２】携帯機器の他の例示的な実施形態の構造の部分拡大図である。
【発明を実施するための形態】
【００２６】
本開示およびその効果のより完全な理解のため、以下、同様の参照符号により類似の特徴を示している添付の図面を併用して、以下の説明を参照する。当業者であれば、本明細書に記載のものを含む例示的な実施形態を実現するための他の様々な変形例を把握するであろう。
図面は、特定の縮尺に限定されるものではなく、また、類似の要素を表すために同様の参照符号を使用している。本開示および添付の請求項で使用される場合の、「例示的な実施形態」「一実施形態」および「本実施形態」という表現は、１つのみの実施形態を指すこともあるものの、必ずしもそうであるとは限らず、種々の例示的な実施形態は、本発明の範囲または趣旨から逸脱することなく、容易に組み合わせおよび相互入れ替えすることができる。
また、本明細書で使用する専門用語は、単に例示的な実施形態を説明するためのものにすぎず、本発明を限定するものではない。これに関連して、本明細書で使用される場合の「〜において（ｉｎ）」という表現は、「〜の中で（ｉｎ）」と「〜の上で（ｏｎ）」を含み得るものであり、また、「ａ」「ａｎ」および「ｔｈｅ」という表現は、単数を指す場合と複数を指す場合を含み得る。
また、本明細書で使用される場合の「〜によって（ｂｙ）」という表現は、文脈によっては、「〜から（ｆｒｏｍ）」を意味することもある。さらに、本明細書で使用される場合の「〜場合に（ｉｆ）」という表現は、文脈によっては、「〜ときに（ｗｈｅｎ）」または「〜際に（ｕｐｏｎ）」を意味することもある。さらに、本明細書で使用される場合の「および／または（ａｎｄ／ｏｒ）」という言葉は、関連して列挙されるアイテムのうち１つまたは複数からなるあらゆる可能な組み合わせを指すことができ、また、包含し得るものである。
【００２７】
光学撮像レンズの例示的な実施形態は、開口絞りと、第１のレンズ素子と、第２のレンズ素子と、第３のレンズ素子と、第４のレンズ素子と、第５のレンズ素子とを備えることができ、それらのレンズ素子の各々は、物体側に向いた物体側の面と、像側に向いた像側の面とを有する。それらのレンズ素子は、光軸に沿って物体側から像側へ順に配置することができ、また、レンズの例示的な実施形態は、全体として、屈折力を有する該５つのレンズ素子を含み得る。
例示的な一実施形態において、第１のレンズ素子は、正の屈折力を有し、その像側の面は光軸近傍に凸部を有し、第３のレンズ素子の物体側の面は該第３のレンズ素子の周縁部近傍に凹部を有し、第４のレンズ素子は、正の屈折力を有し、その物体側の面は凹面であり、第５のレンズ素子は、プラスチック材料で構成されており、その像側の面は光軸近傍に凹部を有し、また、該光学撮像レンズは全体として、屈折力を有する該５つのレンズ素子のみを有し、光軸に沿った第５のレンズ素子の中心厚をＣＴ５とし、光軸に沿った第４のレンズ素子と第５のレンズ素子との間の空隙をＡＣ４５として、ＣＴ５とＡＣ４５とは、次の式を満たしている。
2014130333.tif 000013
【００２８】
レンズ素子は、光学特性および光学撮像レンズの長さを考慮して設計されることが好ましい。例えば、正の屈折力を有する第１のレンズ素子は、光学撮像レンズの所望の集光能力を与える。開口絞りが配置されていることと、第１のレンズ素子の正の屈折力とによって、光学撮像レンズの長さを効果的に短縮することができるとともに、より良い像品質のために主光線の角度（撮像センサへの光の入射角）を抑えることができる。
さらに第３のレンズ素子の物体側の面の周縁部近傍に凹部と、第４のレンズ素子の物体側の面に凹面とを有することによって、第１のレンズ素子により生じる光学レンズの収差を除去することができ、これにより、辺縁像の品質が向上する。第５のレンズ素子の像側の面の光軸近傍に凹部を有することは、光学レンズの辺縁像における収差を補正する助けとすることができる。
さらに、光学撮像レンズの長さを短縮するためには、ＣＴ５／ＡＣ４５の値は、式（１）を満たすように４以上であることが好ましい。なぜなら、第５のレンズ素子の厚さは、より大きな領域で光を通過させるためには、相対的に厚いことが必要であるが、一方、第４と第５のレンズ素子の間の空隙は短縮されるからである。次に示すように、ＣＴ５／ＡＣ４５は、４から１８．５までの範囲内にあることが好ましい。
2014130333.tif 000014
これらすべての細目によって、系全体の像品質を向上させることができる。
【００２９】
別の例示的な実施形態では、光軸に沿ったレンズ素子の中心厚および隣接する２つのレンズ素子間の空隙など、パラメータの他の式について考慮することができる。例えば、ＣＴ５と、光軸に沿った第３のレンズ素子と第４のレンズ素子との間の空隙ＡＣ３４とを、次のような式を満たすように制御することとしてもよい。
2014130333.tif 000015
【００３０】
あるいは、ＣＴ５と、光軸に沿った第１のレンズ素子から第５のレンズ素子までのすべての４つの空隙の和ＡＡＧとを、次のような式を満たすように制御することとしてもよい。
2014130333.tif 000016
【００３１】
あるいは、光軸に沿った第４のレンズ素子の中心厚ＣＴ４と、ＣＴ５と、ＡＡＧとを、次のような式を満たすように制御することとしてもよい。
2014130333.tif 000017
【００３２】
あるいは、ＣＴ５と、光軸に沿った第１のレンズ素子と第２のレンズ素子との間の空隙ＡＣ１２とを、次のような式を満たすように制御することとしてもよい。
2014130333.tif 000018
【００３３】
あるいは、光軸に沿った第２のレンズ素子の中心厚ＣＴ２と、ＣＴ５とを、次のような式を満たすように制御することとしてもよい。
2014130333.tif 000019
【００３４】
あるいは、ＣＴ４と、ＣＴ５と、ＡＣ３４とを、次のような式を満たすように制御することとしてもよい。
2014130333.tif 000020
【００３５】
あるいは、ＣＴ２と、ＡＡＧとを、次のような式を満たすように制御することとしてもよい。
2014130333.tif 000021
【００３６】
あるいは、光軸に沿った第３のレンズ素子の中心厚ＣＴ３と、ＣＴ５とを、次のような式を満たすように制御することとしてもよい。
2014130333.tif 000022
【００３７】
あるいは、ＡＣ１２と、ＡＣ４５とを、次のような式を満たすように制御することとしてもよい。
2014130333.tif 000023
【００３８】
前述の例示的な実施形態は、限定されるものではなく、本明細書に記載の他の実施形態に選択的に組み込むことができる。
【００３９】
ここで、式（２）を参照する。この式の設計理由は、第５のレンズ素子において光が通過するための直径をより大きくすることである。この場合、製造を容易にするためには、その厚さが薄すぎてはならない。式（２）を満たしているときには、光学撮像レンズの長さを短縮するのに、ＣＴ５とＡＣ３４の値が適切である。また、ＣＴ５／ＡＣ３４は、さらに１．８５から６．５までの範囲内とすることができ、すなわち、次の式をさらに満たすことができる。
2014130333.tif 000024
【００４０】
次に、式（３）を参照する。この式の設計理由は、第５のレンズ素子において光が通過するための直径をより大きくすることである。この場合、製造を容易にするためには、その厚さが薄すぎてはならない。式（３）を満たしているときには、光学撮像レンズの長さを短縮するのに、ＡＡＧとＣＴ５の値が適切である。また、ＣＴ５／ＡＡＧは、さらに０．８５から１．５５までの範囲内とすることができ、すなわち、次の式をさらに満たすことができる。
2014130333.tif 000025
【００４１】
次に、式（４）／（４’）を参照する。この式の設計理由は、すべての空隙の和を短縮する必要がある一方で、第４と第５のレンズ素子の厚さを短縮することは、第４のレンズ素子の正の屈折力と、第５のレンズ素子において光が通過するための直径をより大きくすることと、によって制限されるということである。式（４）を満たしているときには、光学撮像レンズの長さを短縮するのに、ＣＴ４とＣＴ５とＡＡＧの値が適切であり、さらに式（４’）を満たしているときには、ＡＡＧをより多く短縮することができる。また、（ＣＴ４＋ＣＴ５）／ＡＡＧは、さらに１．５から３．５までの範囲内とすることができ、すなわち、次の式をさらに満たすことができる。
2014130333.tif 000026
【００４２】
次に、式（５）を参照する。この式の設計理由は、第５のレンズ素子において光が通過するための直径をより大きくすることである。この場合、製造を容易にするためには、その厚さが薄すぎてはならない。一方、空隙ＡＣ１２は短縮する必要がある。式（５）を満たしているときには、光学撮像レンズの長さを短縮するのに、ＣＴ５とＡＣ１２の値が適切である。また、ＣＴ５／ＡＣ１２は、さらに１１から１８．５までの範囲内とすることができ、すなわち、次の式をさらに満たすことができる。
2014130333.tif 000027
【００４３】
次に、式（６）を参照する。この式の設計理由は、第５のレンズ素子において光が通過するための直径をより大きくすることである。この場合、第５のレンズ素子の厚さは、第２のレンズ素子の厚さよりも大きくすることができる。式（６）を満たしているときには、光学撮像レンズの長さを短縮するのに、ＣＴ２とＣＴ５の値が適切である。また、ＣＴ５／ＣＴ２は、さらに２．７５から３．９５までの範囲内とすることができ、すなわち、次の式をさらに満たすことができる。
2014130333.tif 000028
【００４４】
次に、式（７）を参照する。この式の設計理由は、第４と第５のレンズ素子の両方において光が通過するための直径をより大きくすることである。この場合、製造を容易にするためには、それらの厚さが薄すぎてはならない。式（７）を満たしているときには、光学撮像レンズの長さを短縮するのに、ＣＴ４とＣＴ５とＡＣ３４の値が適切である。また、（ＣＴ４＋ＣＴ５）／ＡＣ３４は、さらに６．３から１４までの範囲内とすることができ、すなわち、次の式をさらに満たすことができる。
2014130333.tif 000029
【００４５】
次に、式（８）を参照する。この式の設計理由は、すべての空隙の和ＡＡＧをＣＴ２よりも多く短縮することである。式（８）を満たしているときには、光学撮像レンズの長さを短縮するのに、ＣＴ２とＡＡＧの値が適切である。また、ＡＡＧ／ＣＴ２は、さらに２．２から３までの範囲内とすることができ、すなわち、次の式をさらに満たすことができる。
2014130333.tif 000030
【００４６】
次に、式（９）を参照する。この式の設計理由は、第５のレンズ素子において光が通過するための直径をより大きくすることである。この場合、第５のレンズ素子の厚さは、第３のレンズ素子の厚さよりも厚くすることができる。式（９）を満たしているときには、光学撮像レンズの長さを短縮するのに、ＣＴ３とＣＴ５の値が適切である。また、ＣＴ５／ＣＴ３は、さらに１．６５から２．８までの範囲内とすることができ、すなわち、次の式をさらに満たすことができる。
2014130333.tif 000031
【００４７】
次に、式（１０）を参照する。この式の設計理由は、第１と第２のレンズ素子において光が通過するための直径が同等であることから、第１のレンズ素子の像側の面の光軸近傍に形成された凸部と第２のレンズ素子の物体側の面の光軸近傍に形成されたオプションの凸部との間であるＡＣ１２を、ＡＣ４５よりも多く短縮することである。式（１０）を満たしているときには、光学撮像レンズの長さを短縮するのに、ＡＣ１２とＡＣ４５の値が適切である。また、ＡＣ４５／ＡＣ１２は、さらに０．８から３．５までの範囲内とすることができ、すなわち、次の式をさらに満たすことができる。
2014130333.tif 000032
【００４８】
例示的な実施形態を実施する際には、系の性能および／または解像度の制御を強化するため、以下の実施形態で示すように、凸面もしくは凹面構造および／または屈折力についてのさらなる詳細を、１つの特定のレンズ素子に、または広く複数のレンズ素子に、組み込むことができる。
例えば、第５のレンズ素子の像側の面は、該第５のレンズ素子の周縁部近傍に凸部をさらに有することができ、あるいは第２のレンズ素子の物体側の面は、光軸近傍に凸部をさらに有することができる。本明細書で記載する詳細は、いかなる矛盾も生じない限りにおいて、例示的な実施形態に組み込むことができるということに留意すべきである。
【００４９】
良好な光学特性を有するとともに長さが短縮された光学撮像レンズの例示的な実施形態について説明するため、以下、いくつかの例示的な実施形態および関連する光学データを提示する。ここで、図１〜５を参照する。
図１は、第１の例示的な実施形態による光学撮像レンズの、５つのレンズ素子を有する光学撮像レンズ１の例示的な断面図を示している。図２は、例示的な一実施形態による光学撮像レンズ１の縦球面収差および他の種類の光学収差の例示的なチャートを示している。図３は、例示的な一実施形態による光学撮像レンズ１のレンズ素子の他の例示的な断面図を示している。図４は、例示的な一実施形態による光学撮像レンズ１の各レンズ素子についての光学データの例示的な表を示している。図５は、例示的な一実施形態による光学撮像レンズ１についての非球面データの例示的な表を示している。
【００５０】
図１に示すように、本実施形態の光学撮像レンズ１は、光軸に沿って物体側Ａ１から像側Ａ２へ順に、第１のレンズ素子１１０の前面に配置される開口絞り１００と、第１のレンズ素子１１０と、第２のレンズ素子１２０と、第３のレンズ素子１３０と、第４のレンズ素子１４０と、第５のレンズ素子１５０と、を備える。
光学レンズ１の像側Ａ２に、フィルタユニット１６０、および撮像センサの像面１７０が配置される。第１、第２、第３、第４、第５のレンズ素子１１０、１２０、１３０、１４０、１５０、およびフィルタユニット１６０のそれぞれは、物体側Ａ１に向いた物体側の面１１１／１２１／１３１／１４１／１５１／１６１と、像側Ａ２に向いた像側の面１１２／１２２／１３２／１４２／１５２／１６２と、を有する。
図示のフィルタユニット１６０の例示的な実施形態は、第５のレンズ素子１５０と像面１７０との間に配置されるＩＲカットフィルタ（赤外線カットフィルタ）である。フィルタユニット１６０は、光学撮像レンズ１を通過する光から特定の波長の光を選択的に吸収する。例えば、赤外光が吸収され、これによって、人間の目に見えない赤外光により像面１７０に像が形成されることを防いでいる。
【００５１】
以下、光学撮像レンズ１の各レンズ素子の例示的な実施形態について、図面を参照して説明する。
【００５２】
第１のレンズ素子１１０の例示的な実施形態は、正の屈折力を有することができ、これをプラスチック材料で構成することができる。物体側の面１１１は凸面であり、像側の面１１２は、光軸近傍に凸部１１２１を有するとともに、該第１のレンズ素子１１０の周縁部近傍に凸部１１２２を有する。
【００５３】
第２のレンズ素子１２０の例示的な実施形態は、負の屈折力を有することができ、これをプラスチック材料で構成することができる。物体側の面１２１は凸面であり、像側の面１２２は凹面である。
【００５４】
第３のレンズ素子１３０の例示的な実施形態は、負の屈折力を有することができ、これをプラスチック材料で構成することができる。物体側の面１３１は、光軸近傍に凸部１３１１を有するとともに、該第３のレンズ素子１３０の周縁部近傍に凹部１３１２を有し、像側の面１３２は、光軸近傍に凹部１３２１を有するとともに、該第３のレンズ素子１３０の周縁部近傍に凹部１３２２と、さらに光軸近傍と該第３のレンズ素子１３０の周縁部近傍との間に凸部１３２３とを有する。
【００５５】
第４のレンズ素子１４０の例示的な実施形態は、正の屈折力を有することができ、これをプラスチック材料で構成することができる。物体側の面１４１は凹面であり、像側の面１４２は凸面である。
【００５６】
第５のレンズ素子１５０の例示的な実施形態は、負の屈折力を有することができ、これをプラスチック材料で構成することができる。物体側の面１５１は、光軸近傍に凸部１５１１を有し、該第５のレンズ素子１５０の周縁部近傍に凹部１５１２を有する。像側の面１５２は、光軸近傍に凹部１５２１を有し、該第５のレンズ素子１５０の周縁部近傍に凸部１５２２を有する。
【００５７】
例示的な実施形態では、レンズ素子１１０、１２０、１３０、１４０、１５０と、フィルタユニット１６０と、撮像センサの像面１７０との間に、空隙が存在する。
例えば、図１では、第１のレンズ素子１１０と第２のレンズ素子１２０との間に存在する空隙ｄ１と、第２のレンズ素子１２０と第３のレンズ素子１３０との間に存在する空隙ｄ２と、第３のレンズ素子１３０と第４のレンズ素子１４０との間に存在する空隙ｄ３と、第４のレンズ素子１４０と第５のレンズ素子１５０との間に存在する空隙ｄ４と、第５のレンズ素子１５０とフィルタユニット１６０との間に存在する空隙ｄ５と、フィルタユニット１６０と撮像センサの像面１７０との間に存在する空隙ｄ６と、を示している。
しかしながら、他の実施形態では、上記の空隙のいずれかは、存在しても存在しなくてもよい。例えば、いずれか２つの隣接するレンズ素子の相対する面の形状は、相互に対応している場合があり、そのような状況では、空隙は存在しないことがある。空隙ｄ１はＡＣ１２で示され、空隙ｄ３はＡＣ３４で示され、第１と第５のレンズ素子１１０、１５０の間のすべての空隙ｄ１、ｄ２、ｄ３、ｄ４の和はＡＡＧで示される。
【００５８】
図４は、本実施形態の光学撮像レンズ１の各レンズ素子の光学特性を示しており、この場合、ＣＴ５／ＡＣ４５、ＣＴ５／ＡＣ３４、ＣＴ５／ＡＡＧ、（ＣＴ４＋ＣＴ５）／ＡＡＧ、ＣＴ５／ＡＣ１２、ＣＴ５／ＣＴ２、（ＣＴ４＋ＣＴ５）／ＡＣ３４、ＡＡＧ／ＣＴ２、ＣＴ５／ＣＴ３、ＡＣ４５／ＡＣ１２の値は、
2014130333.tif 000033
このとき、第１のレンズ素子１１０の物体側の面１１１から像面１７０までの光軸に沿った距離は４．８５８（ｍｍ）であり、光学撮像レンズ１の長さが短縮されている。
【００５９】
例示的な実施形態では、各レンズ素子の構造について明確に説明するため、光が通過する部分のみを示しているということに留意すべきである。例えば、第１のレンズ素子１１０を例にとると、図１では、物体側の面１１１と像側の面１１２とを示している。ところが、本実施形態の各レンズ素子を実現する際には、光学撮像レンズ１の内部でレンズ素子を位置決めするための固定部が選択的に形成されることがある。
第１のレンズ素子１１０について、図３を参照すると、これは、固定部をさらに備えた第１のレンズ素子１１０を示している。この場合、固定部は、光学撮像レンズ１内に第１のレンズ素子１１０を取り付けるために、物体側の凸面１１１と像側の面１１２とから拡張された突出部１１３であるが、これに限定されるものではなく、また、理想的には光は突出部１１３を通過しない。
【００６０】
第１のレンズ素子１１０の物体側の面１１１および像側の面１１２と、第２のレンズ素子１２０の物体側の面１２１および像側の面１２２と、第３のレンズ素子１３０の物体側の面１３１および像側の面１３２と、第４のレンズ素子１４０の物体側の面１４１および像側の面１４２と、第５のレンズ素子１５０の物体側の面１５１および像側の面１５２と、を含む非球面はすべて、以下の非球面式で定義される。
2014130333.tif 000034
ここで、
Ｒは、レンズ素子面の曲率半径を表す。
Ｚは、非球面の深さ（光軸から距離Ｙにある非球面上の点と、非球面の光軸上の頂点における接平面と、の間の垂直距離）を表す。
Ｙは、非球面上の点と光軸との間の垂直距離を表す。
Ｋは、円錐定数を表す。
ａ2iは、２ｉ次の非球面係数を表す。
【００６１】
各非球面パラメータの値を、図５に示している。
【００６２】
図２に示すように、いくつかの異なる波長についての縦球面収差（ａ）の曲線は、相互に近接している。これは、これらの波長に関する軸外光が像点の周りに収束することを表している。図中に示す各曲線の垂直偏差によると、像点に対する軸外光のオフセットは、±０．０２（ｍｍ）の範囲内にある。よって、本実施形態は、様々な波長に関して縦球面収差を改善している。
【００６３】
サジタル方向の非点収差（ｂ）、およびタンジェンシャル方向の非点収差（ｃ）について、図２を参照する。３つの波長に関する焦点の変動は全視野で±０．０２（ｍｍ）の範囲内にある。これは、本実施形態の光学撮像レンズ１が収差を効果的に除去していることを反映している。
【００６４】
歪曲収差（ｄ）について、図２を参照すると、歪曲収差の変動が±５％の範囲内であることを示している。このような歪曲収差は、許容される像品質の要件を満たすものであり、また、光学撮像レンズ１の長さを４．８５８ｍｍまで短縮したとしても、本実施形態の光学撮像レンズ１が像品質を高めるように歪曲収差を制限することができることを示している。
【００６５】
よって、本実施形態の光学撮像レンズ１は、縦球面収差、サジタル方向の非点収差、タンジェンシャル方向の非点収差、および歪曲収差において、優れた特性を示すものである。例示的な実施形態の光学撮像レンズ１は、上記の実例によれば、実際に優れた光学性能を実現し、また、光学撮像レンズ１の長さは効果的に短縮されている。
【００６６】
以下、図６〜９を参照する。図６は、第２の例示的な実施形態による光学撮像レンズの、５つのレンズ素子を有する光学撮像レンズ２の例示的な断面図を示している。図７は、第２の例示的な実施形態による光学撮像レンズ２の縦球面収差および他の種類の光学収差の例示的なチャートを示している。図８は、第２の例示的な実施形態による光学撮像レンズ２の各レンズ素子についての光学データの例示的な表を示している。図９は、第２の例示的な実施形態による光学撮像レンズ２についての非球面データの例示的な表を示している。
本実施形態において表示される参照符号は、第１の実施形態における類似の要素のものと同様であるが、ただし本実施形態では、参照符号は２で始まり、例えば、参照符号２３１によって第３のレンズ素子２３０の物体側の面を示し、参照符号２３２によって第３のレンズ素子２３０の像側の面を示すなどする。
【００６７】
図６に示すように、本実施形態の光学撮像レンズ２は、光軸に沿って物体側Ａ１から像側Ａ２へ順に、開口絞り２００と、第１のレンズ素子２１０と、第２のレンズ素子２２０と、第３のレンズ素子２３０と、第４のレンズ素子２４０と、第５のレンズ素子２５０と、を備える。
【００６８】
第２の実施形態と第１の実施形態との違いは、各レンズ素子の曲率半径および厚さ、各空隙の距離、第３のレンズ素子２３０の正の屈折力にある。他のレンズ素子の屈折力、およびレンズ素子の物体側または像側の面の凹／凸形状の構成は、第１の実施形態のものと同様である。本実施形態の光学撮像レンズ２の各レンズ素子の光学特性について、図８を参照すると、この場合、ＣＴ５／ＡＣ４５、ＣＴ５／ＡＣ３４、ＣＴ５／ＡＡＧ、（ＣＴ４＋ＣＴ５）／ＡＡＧ、ＣＴ５／ＡＣ１２、ＣＴ５／ＣＴ２、（ＣＴ４＋ＣＴ５）／ＡＣ３４、ＡＡＧ／ＣＴ２、ＣＴ５／ＣＴ３、ＡＣ４５／ＡＣ１２の値は、
2014130333.tif 000035
【００６９】
このとき、第１のレンズ素子２１０の物体側の面２１１から像面２７０までの光軸に沿った距離は４．９４８（ｍｍ）であり、光学撮像レンズ２の長さが短縮されている。
【００７０】
図７に示すように、本実施形態の光学撮像レンズ２は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ２の長さは効果的に短縮されている。
【００７１】
以下、図１０〜１３を参照する。図１０は、第３の例示的な実施形態による光学撮像レンズの、５つのレンズ素子を有する光学撮像レンズ３の例示的な断面図を示している。図１１は、第３の例示的な実施形態による光学撮像レンズ３の縦球面収差および他の種類の光学収差の例示的なチャートを示している。図１２は、第３の例示的な実施形態による光学撮像レンズ３の各レンズ素子についての光学データの例示的な表を示している。図１３は、第３の例示的な実施形態による光学撮像レンズ３についての非球面データの例示的な表を示している。
本実施形態において表示される参照符号は、第１の実施形態における類似の要素のものと同様であるが、ただし本実施形態では、参照符号は３で始まり、例えば、参照符号３３１によって第３のレンズ素子３３０の物体側の面を示し、参照符号３３２によって第３のレンズ素子３３０の像側の面を示すなどする。
【００７２】
図１０に示すように、本実施形態の光学撮像レンズ３は、光軸に沿って物体側Ａ１から像側Ａ２へ順に、開口絞り３００と、第１のレンズ素子３１０と、第２のレンズ素子３２０と、第３のレンズ素子３３０と、第４のレンズ素子３４０と、第５のレンズ素子３５０と、を備える。
【００７３】
第３の実施形態と第１の実施形態との違いは、各レンズ素子の曲率半径および厚さと、各空隙の距離にある。レンズ素子の屈折力および物体側または像側の面の凹／凸形状の構成は、第１の実施形態のものと同様である。本実施形態の光学撮像レンズ３の各レンズ素子の光学特性について、図１２を参照すると、この場合、ＣＴ５／ＡＣ４５、ＣＴ５／ＡＣ３４、ＣＴ５／ＡＡＧ、（ＣＴ４＋ＣＴ５）／ＡＡＧ、ＣＴ５／ＡＣ１２、ＣＴ５／ＣＴ２、（ＣＴ４＋ＣＴ５）／ＡＣ３４、ＡＡＧ／ＣＴ２、ＣＴ５／ＣＴ３、ＡＣ４５／ＡＣ１２の値は、
2014130333.tif 000036
【００７４】
このとき、第１のレンズ素子３１０の物体側の面３１１から像面３７０までの光軸に沿った距離は４．６６４（ｍｍ）であり、光学撮像レンズ３の長さが短縮されている。
【００７５】
図１１に示すように、本実施形態の光学撮像レンズ３は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ３の長さは効果的に短縮されている。
【００７６】
以下、図１４〜１７を参照する。図１４は、第４の例示的な実施形態による光学撮像レンズの、５つのレンズ素子を有する光学撮像レンズ４の例示的な断面図を示している。図１５は、第４の実施形態による光学撮像レンズ４の縦球面収差および他の種類の光学収差の例示的なチャートを示している。図１６は、第４の例示的な実施形態による光学撮像レンズ４の各レンズ素子についての光学データの例示的な表を示している。図１７は、第４の例示的な実施形態による光学撮像レンズ４についての非球面データの例示的な表を示している。
本実施形態において表示される参照符号は、第１の実施形態における類似の要素のものと同様であるが、ただし本実施形態では、参照符号は４で始まり、例えば、参照符号４３１によって第３のレンズ素子４３０の物体側の面を示し、参照符号４３２によって第３のレンズ素子４３０の像側の面を示すなどする。
【００７７】
図１４に示すように、本実施形態の光学撮像レンズ４は、光軸に沿って物体側Ａ１から像側Ａ２へ順に、開口絞り４００と、第１のレンズ素子４１０と、第２のレンズ素子４２０と、第３のレンズ素子４３０と、第４のレンズ素子４４０と、第５のレンズ素子４５０と、を備える。
【００７８】
第４の実施形態と第１の実施形態との違いは、各レンズ素子の曲率半径および厚さ、各空隙の距離、第３と第５のレンズ素子４３０、４５０の物体側の面４３１、４５１の凹／凸形状の構成にある。
具体的には、本実施形態では、第３のレンズ素子４３０の物体側の面４３１は光軸近傍に凹部４３１１を有し、第５のレンズ素子４５０の物体側の面４５１は、光軸近傍に凸部４５１１を有するとともに、該第５のレンズ素子４５０の周縁部近傍に凸部４５１２と、さらに光軸近傍と該第５のレンズ素子４５０の周縁部近傍との間に凹部４５１３とを有する。レンズ素子の屈折力、およびレンズ素子の他の物体側または像側の面の凹／凸形状の構成は、第１の実施形態のものと同様である。
本実施形態の光学撮像レンズ４の各レンズ素子の光学特性について、図１６を参照すると、この場合、ＣＴ５／ＡＣ４５、ＣＴ５／ＡＣ３４、ＣＴ５／ＡＡＧ、（ＣＴ４＋ＣＴ５）／ＡＡＧ、ＣＴ５／ＡＣ１２、ＣＴ５／ＣＴ２、（ＣＴ４＋ＣＴ５）／ＡＣ３４、ＡＡＧ／ＣＴ２、ＣＴ５／ＣＴ３、ＡＣ４５／ＡＣ１２の値は、
2014130333.tif 000037
【００７９】
このとき、第１のレンズ素子４１０の物体側の面４１１から像面４７０までの光軸に沿った距離は４．７７４（ｍｍ）であり、光学撮像レンズ４の長さが短縮されている。
【００８０】
図１５に示すように、本実施形態の光学撮像レンズ４は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ４の長さは効果的に短縮されている。
【００８１】
以下、図１８〜２１を参照する。図１８は、第５の例示的な実施形態による光学撮像レンズの、５つのレンズ素子を有する光学撮像レンズ５の例示的な断面図を示している。図１９は、第５の実施形態による光学撮像レンズ５の縦球面収差および他の種類の光学収差の例示的なチャートを示している。図２０は、第５の例示的な実施形態による光学撮像レンズ５の各レンズ素子についての光学データの例示的な表を示している。図２１は、第５の例示的な実施形態による光学撮像レンズ５についての非球面データの例示的な表を示している。
本実施形態において表示される参照符号は、第１の実施形態における類似の要素のものと同様であるが、ただし本実施形態では、参照符号は５で始まり、例えば、参照符号５３１によって第３のレンズ素子５３０の物体側の面を示し、参照符号５３２によって第３のレンズ素子５３０の像側の面を示すなどする。
【００８２】
図１８に示すように、本実施形態の光学撮像レンズ５は、光軸に沿って物体側Ａ１から像側Ａ２へ順に、開口絞り５００と、第１のレンズ素子５１０と、第２のレンズ素子５２０と、第３のレンズ素子５３０と、第４のレンズ素子５４０と、第５のレンズ素子５５０と、を備える。
【００８３】
第５の実施形態と第１の実施形態との違いは、各レンズ素子の曲率半径および厚さ、各空隙の距離、第３のレンズ素子５３０の正の屈折力にある。他のレンズ素子の屈折力、およびレンズ素子の物体側または像側の面の凹／凸形状の構成は、第１の実施形態のものと同様である。
本実施形態の光学撮像レンズ５の各レンズ素子の光学特性について、図２０を参照すると、この場合、ＣＴ５／ＡＣ４５、ＣＴ５／ＡＣ３４、ＣＴ５／ＡＡＧ、（ＣＴ４＋ＣＴ５）／ＡＡＧ、ＣＴ５／ＡＣ１２、ＣＴ５／ＣＴ２、（ＣＴ４＋ＣＴ５）／ＡＣ３４、ＡＡＧ／ＣＴ２、ＣＴ５／ＣＴ３、ＡＣ４５／ＡＣ１２の値は、
2014130333.tif 000038
【００８４】
このとき、第１のレンズ素子５１０の物体側の面５１１から像面５７０までの光軸に沿った距離は４．７６２（ｍｍ）であり、光学撮像レンズ５の長さが短縮されている。
【００８５】
図１９に示すように、本実施形態の光学撮像レンズ５は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ５の長さは効果的に短縮されている。
【００８６】
以下、図２２〜２５を参照する。図２２は、第６の例示的な実施形態による光学撮像レンズの、５つのレンズ素子を有する光学撮像レンズ６の例示的な断面図を示している。図２３は、第６の実施形態による光学撮像レンズ６の縦球面収差および他の種類の光学収差の例示的なチャートを示している。図２４は、第６の例示的な実施形態による光学撮像レンズ６の各レンズ素子についての光学データの例示的な表を示している。図２５は、第６の例示的な実施形態による光学撮像レンズ６についての非球面データの例示的な表を示している。
本実施形態において表示される参照符号は、第１の実施形態における類似の要素のものと同様であるが、ただし本実施形態では、参照符号は６で始まり、例えば、参照符号６３１によって第３のレンズ素子６３０の物体側の面を示し、参照符号６３２によって第３のレンズ素子６３０の像側の面を示すなどする。
【００８７】
図２２に示すように、本実施形態の光学撮像レンズ６は、光軸に沿って物体側Ａ１から像側Ａ２へ順に、開口絞り６００と、第１のレンズ素子６１０と、第２のレンズ素子６２０と、第３のレンズ素子６３０と、第４のレンズ素子６４０と、第５のレンズ素子６５０と、を備える。
【００８８】
第６の実施形態と第１の実施形態との違いは、各レンズ素子の曲率半径および厚さ、各空隙の距離、第３のレンズ素子６３０の正の屈折力にある。他のレンズ素子の屈折力、およびレンズ素子の物体側または像側の面の凹／凸形状の構成は、第１の実施形態のものと同様である。
本実施形態の光学撮像レンズ６の各レンズ素子の光学特性について、図２４を参照すると、この場合、ＣＴ５／ＡＣ４５、ＣＴ５／ＡＣ３４、ＣＴ５／ＡＡＧ、（ＣＴ４＋ＣＴ５）／ＡＡＧ、ＣＴ５／ＡＣ１２、ＣＴ５／ＣＴ２、（ＣＴ４＋ＣＴ５）／ＡＣ３４、ＡＡＧ／ＣＴ２、ＣＴ５／ＣＴ３、ＡＣ４５／ＡＣ１２の値は、
2014130333.tif 000039
【００８９】
このとき、第１のレンズ素子６１０の物体側の面６１１から像面６７０までの光軸に沿った距離は４．５２１（ｍｍ）であり、光学撮像レンズ６の長さが短縮されている。
【００９０】
図２３に示すように、本実施形態の光学撮像レンズ６は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ６の長さは効果的に短縮されている。
【００９１】
以下、図２６〜２９を参照する。図２６は、第７の例示的な実施形態による光学撮像レンズの、５つのレンズ素子を有する光学撮像レンズ７の例示的な断面図を示している。図２７は、第７の実施形態による光学撮像レンズ７の縦球面収差および他の種類の光学収差の例示的なチャートを示している。図２８は、第７の例示的な実施形態による光学撮像レンズ７の各レンズ素子についての光学データの例示的な表を示している。図２９は、第７の例示的な実施形態による光学撮像レンズ７についての非球面データの例示的な表を示している。
本実施形態において表示される参照符号は、第１の実施形態における類似の要素のものと同様であるが、ただし本実施形態では、参照符号は７で始まり、例えば、参照符号７３１によって第３のレンズ素子７３０の物体側の面を示し、参照符号７３２によって第３のレンズ素子７３０の像側の面を示すなどする。
【００９２】
図２６に示すように、本実施形態の光学撮像レンズ７は、光軸に沿って物体側Ａ１から像側Ａ２へ順に、開口絞り７００と、第１のレンズ素子７１０と、第２のレンズ素子７２０と、第３のレンズ素子７３０と、第４のレンズ素子７４０と、第５のレンズ素子７５０と、を備える。
【００９３】
第７の実施形態と第１の実施形態との違いは、各レンズ素子の曲率半径および厚さ、各空隙の距離、第３のレンズ素子７３０の正の屈折力、第３のレンズ素子７３０の像側の面７３２が該第３のレンズ素子７３０の周縁部近傍に凸部７３２２を有することにある。他のレンズ素子の屈折力、およびレンズ素子の物体側または像側の面の凹／凸形状の構成は、第１の実施形態のものと同様である。
本実施形態の光学撮像レンズ７の各レンズ素子の光学特性について、図２８を参照すると、この場合、ＣＴ５／ＡＣ４５、ＣＴ５／ＡＣ３４、ＣＴ５／ＡＡＧ、（ＣＴ４＋ＣＴ５）／ＡＡＧ、ＣＴ５／ＡＣ１２、ＣＴ５／ＣＴ２、（ＣＴ４＋ＣＴ５）／ＡＣ３４、ＡＡＧ／ＣＴ２、ＣＴ５／ＣＴ３、ＡＣ４５／ＡＣ１２の値は、
2014130333.tif 000040
【００９４】
このとき、第１のレンズ素子７１０の物体側の面７１１から像面７７０までの光軸に沿った距離は４．７００（ｍｍ）であり、光学撮像レンズ７の長さが短縮されている。
【００９５】
図２７に示すように、本実施形態の光学撮像レンズ７は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ７の長さは効果的に短縮されている。
【００９６】
図３０を参照すると、７つのすべての実施形態についてのＣＴ５／ＡＣ４５、ＣＴ５／ＡＣ３４、ＣＴ５／ＡＡＧ、（ＣＴ４＋ＣＴ５）／ＡＡＧ、ＣＴ５／ＡＣ１２、ＣＴ５／ＣＴ２、（ＣＴ４＋ＣＴ５）／ＡＣ３４、ＡＡＧ／ＣＴ２、ＣＴ５／ＣＴ３、ＡＣ４５／ＡＣ１２の値を示しており、本発明の光学撮像レンズが式（１）、（２）、（３）、（４）／（４’）、（５）、（６）、（７）、（８）、（９）、および／または（１０）を満たしていることは明らかである。
【００９７】
次に、図３１を参照すると、前述の光学撮像レンズを適用した携帯機器２０の第１の実施形態についての例示的な構造図を示している。携帯機器２０は、ハウジング２１と、ハウジング２１内に配置された撮影モジュール２２と、を備える。携帯機器２０は、一例として携帯電話機とすることができるが、ただし、これに限定されない。
【００９８】
図３１に示すように、撮影モジュール２２は、５つのレンズ素子を有する前述の光学撮像レンズである例えば第１の実施形態の光学撮像レンズ１と、光学撮像レンズ１を位置決めするためのレンズ鏡筒２３と、レンズ鏡筒２３を位置決めするためのモジュール収容ユニット２４と、モジュール収容ユニット２４を位置決めするための基板１７２と、光学撮像レンズ１の像側に配置される撮像センサ１７１と、を備えることができる。像面１７０は、撮像センサ１７１上に形成される。
【００９９】
他のいくつかの例示的な実施形態では、フィルタユニット１６０の構成を省くことができる。いくつかの例示的な実施形態では、ハウジング２１、レンズ鏡筒２３、および／またはモジュール収容ユニット２４は、１つのコンポーネントに統合するか、または複数のコンポーネントで組み立てることができる。
いくつかの例示的な実施形態では、本実施形態で用いる撮像センサ１７１は、チップ・オン・ボード（ＣＯＢ：Ｃｈｉｐ  Ｏｎ  Ｂｏａｒｄ）パッケージの形態で基板１７２に直接装着されおり、そのようなパッケージは、従来のチップ・スケール・パッケージ（ＣＳＰ：Ｃｈｉｐ  Ｓｃａｌｅ  Ｐａｃｋａｇｅ）とは異なり、ＣＯＢパッケージは、光学撮像レンズ１における撮像センサ１７１の前面にカバーガラスを必要としない。前述の例示的な実施形態は、このパッケージ型式に限定されるものではなく、また、他の記載の実施形態に選択的に組み込むことができる。
【０１００】
５つのレンズ素子１１０、１２０、１３０、１４０、１５０は、隣接する２つのレンズ素子間を空隙により分離するようにして、レンズ鏡筒２３内に配置される。
【０１０１】
モジュール収容ユニット２４は、レンズ鏡筒２３を位置決めするための台座要素２４０１と、レンズ支持台座２４０６と、を備える。レンズ鏡筒２３と台座要素２４０１は同一の軸Ｉ−Ｉ’に沿って配置され、台座要素２４０１はレンズ鏡筒２３の外側に近接している。台座要素は、焦点調節のため、レンズ鏡筒を駆動して、レンズ鏡筒およびその中の光学撮像レンズ１を軸Ｉ−Ｉ’に沿って動かすことができる。
【０１０２】
光学撮像レンズ１の長さは僅か４．８５８（ｍｍ）であるので、携帯機器２０のサイズは極めて小さくすることができる。従って、本明細書に記載の実施形態は、小型化された製品設計に対する市場の需要を満たすものである。
【０１０３】
次に、図３２を参照すると、前述の光学撮像レンズ１を適用した携帯機器２０’の第２の実施形態についての別の構造図を示している。携帯機器２０’と携帯機器２０との違いの１つは、台座要素２４０１が、第１の台座ユニット２４０２と、第２の台座ユニット２４０３と、コイル２４０４と、磁気ユニット２４０５と、を含むこと、とすることができる。
第１の台座ユニット２４０２は、レンズ鏡筒２３の外側に近接して、軸Ｉ−Ｉ’に沿って配置されており、第２の台座ユニット２４０３は、第１の台座ユニット２４０２の外側の周りにあって、軸Ｉ−Ｉ’に沿って配置されている。コイル２４０４は、第１の台座ユニット２４０２と第２の台座ユニット２４０３の内側との間に配置されている。磁気ユニット２４０５は、コイル２４０４の外側と第２の台座ユニット２４０３の内側との間に配置されている。
【０１０４】
レンズ鏡筒２３と、その中に配置された光学撮像レンズ１は、軸Ｉ−Ｉ’に沿って動くように、第１の台座ユニット２４０２により駆動される。携帯機器２０’の残りの構造は、携帯機器２０と同様である。
【０１０５】
同様に、光学撮像レンズ１の長さが４．８５８（ｍｍ）と短縮されていることから、携帯機器２０’は、より小型に設計することができると同時に、それでも良好な光学性能が得られる。従って、本実施形態は、小型の製品設計に対する需要および市場の要求を満たすものである。
【０１０６】
上記の実例によれば、例示的な実施形態における携帯機器およびその光学撮像レンズは、光軸に沿った第１と第２のレンズ素子間の空隙に対するすべてのレンズ素子の中心厚の和の比率を所定範囲内に制御するとともに、レンズ素子の詳細な構造および／または屈折力を組み込むことによって、光学撮像レンズの長さが効果的に短縮されると同時に、それでも良好な光学特性が得られることは、明らかである。
【０１０７】
開示された原理による種々の実施形態について上記で説明したが、当然のことながら、これらは単なる例として提示したものにすぎず、限定するものではない。よって、例示的な実施形態の広さおよび範囲は、上記実施形態のいずれによっても限定されるべきではなく、本開示に係る請求項およびそれらの均等物によってのみ規定されるべきである。
また、記載した実施形態において上記効果および特徴を提示しているが、それらは、上記効果の一部またはすべてを実現するプロセスおよび構造への、かかる請求項の適用を限定するものではない。
【０１０８】
また、本明細書におけるセクションの見出しは、本開示に係るいかなる請求項で記載される発明も、限定または特徴付けするものではない。特に、「背景技術」における技術の記載は、技術が、本開示の発明の先行技術であることを認めるものと解釈されるべきではない。また、本開示における単数形での「発明」という表現は、本開示における新規な点が１つのみであることを主張するために用いられるものではない。
本開示に係る複数の請求項での限定に従って複数の発明を規定することができ、よって、かかる請求項は、それらにより保護される発明およびそれらの均等物を規定するものである。いずれの場合も、かかる請求項の範囲は、本開示に照らして、それらの実体によって解釈されるものとし、本明細書の見出しによって制限されるべきではない。
【図１】
2014130333.tif 000050
【図２】
2014130333.tif 000051
【図３】
2014130333.tif 000052
【図４】
2014130333.tif 000053
【図５】
2014130333.tif 000054
【図６】
2014130333.tif 000055
【図７】
2014130333.tif 000056
【図８】
2014130333.tif 000057
【図９】
2014130333.tif 000058
【図１０】
2014130333.tif 000059
【図１１】
2014130333.tif 000060
【図１２】
2014130333.tif 000061
【図１３】
2014130333.tif 000062
【図１４】
2014130333.tif 000063
【図１５】
2014130333.tif 000064
【図１６】
2014130333.tif 000065
【図１７】
2014130333.tif 000066
【図１８】
2014130333.tif 000067
【図１９】
2014130333.tif 000068
【図２０】
2014130333.tif 000069
【図２１】
2014130333.tif 000070
【図２２】
2014130333.tif 000071
【図２３】
2014130333.tif 000072
【図２４】
2014130333.tif 000073
【図２５】
2014130333.tif 000074
【図２６】
2014130333.tif 000075
【図２７】
2014130333.tif 000076
【図２８】
2014130333.tif 000077
【図２９】
2014130333.tif 000078
【図３０】
2014130333.tif 000079
【図３１】
2014130333.tif 000080
【図３２】
2014130333.tif 000081